(57)【要約】【課題】金属面から剥がれることがなく、また携帯電話等の読取装置において読み取り可能な程度に鮮明な二次元コードを有する装飾品を提供する。【解決手段】鏡面仕上げからなる金属製装飾品の表面及び／又は裏面に、微細な凹凸を有する照射面を形成する。該照射面にレーザビームを照射し、前記装飾品の表面を熱変形させて、前記照射面の凹部より深い凹部を形成し、該深い凹部を暗部分とし、前記照射面を明部分とし、明暗模様で構成された二次元コードを形成する。【選択図】        図１
2007034958.tif 000002
【特許請求の範囲】
【請求項１】
鏡面仕上げからなる金属製装飾品の表面及び／又は裏面に、微細な凹凸を有する照射面を形成するとともに、該照射面にレーザビームを照射し、前記装飾品の表面を熱変形させて、前記照射面の凹部より深い凹部を形成し、該深い凹部を暗部分とし、前記照射面を明部分とし、明暗模様で構成された二次元コードを形成したことを特徴とする二次元コードを有する装飾品。
【請求項２】
前記鏡面仕上げからなる金属製装飾品の表面の算術平均粗さ（Ｒａ）が０．１μｍ以下で、前記照射面の算術表面粗さ（Ｒａ）を０．５μｍ以上とした、請求項１に記載の二次元コードを有する装飾品。
【請求項３】
前記微細な凹凸を有する照射面を、ブラスト処理により形成したことを特徴とする請求項１又は２に記載の二次元コードを有する装飾品。
【請求項４】
前記微細な凹凸を有する照射面が、文字又は模様を施すように形成してあることを特徴とする請求項１ないし３の何れか１項に記載の二次元コードを有する装飾品。
【請求項５】
前記深い凹部の表面を、黒く変色させたことを特徴とする請求項１ないし４の何れか１項に記載の二次元コードを有する装飾品。
【発明の詳細な説明】
【技術分野】
【０００１】
本発明は、装飾品に関し、さらに詳しくは、表面及び／又は裏面に二次元コードを有する装飾品に関するものである。
【背景技術】
【０００２】
従来より、氏名、生年月日、血液型等の個人情報を彫りこんだ金属素材の指輪、ペンダント、キーホルダ等の装飾品が知られている（例えば特許文献１参照）。
【０００３】
また、人やペットの画像を刻印した装身具用タグが知られている（例えば特許文献２参照）。
【０００４】
一方で近年、ＱＲコード（登録商標）等の、明暗模様の単位セルがマトリックス状に配置された二次元コードが知られており（図１参照）、この二次元コードは縦、横二方向に情報を持つことで、従来のバーコード以上の情報を記録させることができ、また、同じ情報量のバーコードと比べて、省スペース化が可能であるため、生産・物流・販売等の様々な分野での利用が急速に進んでいる。例えば、下記特許文献３には病院等の医療分野における二次元コードの利用方法が開示されている。
【特許文献１】特開２００１−７８８１５号公報
【特許文献２】特開２００２−９５５０９号公報
【特許文献３】特開平７−２６２２８７号公報
【特許文献４】特開平１１−２３２３６９号公報
【発明の開示】
【発明が解決しようとする課題】
【０００５】
前述のように、二次元コードは身近なものとなっている。また、近年二次元コードの読み取りが可能な携帯電話等が広く普及しているので、ますます身近なものとなっている。
【０００６】
二次元コードは、それ自体直接見ても二次元コード中にどのような情報が記録されているのか分からない。よって、二次元コードを使えば、例えばメッセージを二次元コードに変換し、この二次元コードのメッセージを伝えたい相手に送り、その場ではメッセージの内容が分からないが、後で二次元コードを読み取るとメッセージを伝えられるという演出も可能である。
【０００７】
そこで、本発明の発明者は、二次元コードを金属性の装飾品に付し、贈答、受け渡しを通して送り手のメッセージを相手方に伝えるといった新たなコミュニケーション手段に利用することを考えた。
【０００８】
この場合、ステンレス等の合金や、貴金属を含む金属に二次元コードを付する方法としては、金属表面へのインキによる印刷や箔押しが考えられる。しかしながら、印刷や箔押しでは、摩擦等により剥がれ易いという問題がある。特に普段身に着けて使用する装飾品の場合、衣類等との間で摩擦が起こり、剥がれ易い。
【０００９】
また、金属表面に二次元コードを単に刻印する方法も考えられる。しかしながら刻印の場合には、二次元コードを構成する明暗模様の明部分と暗部分とをそれぞれ刻印されなかった金属表面と刻印された凹部分とで形成することとなる。そのため明部分と暗部分との明暗差がないかあるいは少なく、二次元コードを例えば携帯電話等の読取装置で読み取る際に読み取り難いという問題がある。
【００１０】
またさらに、金属表面に二次元コードをレーザビームにて形成する方法もあるが、刻印の場合と同様に、二次元コードが読み取り難いという問題がある。
【００１１】
特に、装飾品においては外観上の高級感及び光沢感を得るために表面を鏡面仕上げにすることが一般的であるため、二次元コードを構成する明暗模様の明部分の光反射が強く、さらに二次元コードを読み取り難くしている。
【００１２】
本発明は、このような問題点に鑑みて為されたものであり、その目的とする処は、金属面から剥がれることがなく、また携帯電話等の読取装置において読み取り可能な程度に鮮明な二次元コードを有する装飾品を提供することにある。
【課題を解決するための手段】
【００１３】
本発明は、
「１．鏡面仕上げからなる金属製装飾品の表面及び／又は裏面に、微細な凹凸を有する照射面を形成するとともに、該照射面にレーザビームを照射し、前記装飾品の表面を熱変形させて、前記照射面の凹部より深い凹部を形成し、該深い凹部を暗部分とし、前記照射面を明部分とし、明暗模様で構成された二次元コードを形成したことを特徴とする二次元コードを有する装飾品。
２．前記鏡面仕上げからなる金属製装飾品の表面の算術平均粗さ（Ｒａ）が０．１μｍ以下で、前記照射面の算術表面粗さ（Ｒａ）を０．５μｍ以上とした、前記１項に記載の二次元コードを有する装飾品。
３．前記微細な凹凸を有する照射面を、ブラスト処理により形成したことを特徴とする前記１項又は２項に記載の二次元コードを有する装飾品。
４．前記微細な凹凸を有する照射面が、文字又は模様を施すように形成してあることを特徴とする前記１項ないし３項の何れか１項に記載の二次元コードを有する装飾品。
５．前記深い凹部の表面を、黒く変色させたことを特徴とする前記１項ないし４項の何れか１項に記載の二次元コードを有する装飾品。」
である。
【００１４】
尚、本願発明の金属製の装飾品とは、ステンレス等の合金や、金、白金、プラチナ等の貴金属を含む金属のことであり、形状は装身具用プレート、指輪等、特に限定されるものではない。
【発明の効果】
【００１５】
本発明によれば、金属表面に形成した二次元コードは、金属表面に凹状に形成するので金属面から剥がれることがなく、また二次元コードを微細な凹凸を有する照射面に形成するので、携帯電話等の読取装置で読み取る際に、携帯電話等が照射面で反射することなどによる読み取り難さもなく、携帯電話等の読取装置で読み取り可能な程度に鮮明に形成された二次元コードを有する装飾品を提供することができる。
【発明を実施するための最良の形態】
【００１６】
以下本発明の実施例について、図面を参照しながら説明する。ここでは金属プレートに二次元コードを形成する例を示す。
【実施例１】
【００１７】
本実施例に係る図１に示す二次元コードを有する装飾品１は、図２に示すように、まず１８金からなる金属プレート２の表面３を、外観上の光沢感及び高級感を得るために算術平均粗さ（Ｒａ）が０．０２μｍとした鏡面仕上げとする。算術表面粗さ（Ｒａ）が、０．１μｍより大きいと、光沢感が得られにくいので、金属プレートの表面の算術表面粗さ（Ｒａ）は、０．１μｍ以下が良く、好ましくは０．０５μｍ以下が良い。
【００１８】
次に、鏡面仕上げを施した一方の表面３に、微細な凹凸を形成した照射面４を形成するために、他方の裏面（図示せず）及び一方の表面３の中央部に四角形状が形成されるようにマスキングをし、圧縮空気で粒状研磨剤、例えばガラスビーズ等を吹き付けるブラスト
処理によって、前記表面３の中央部に、四角形状の算術表面粗さ（Ｒａ）が０．５２μｍの微細な凹凸状の照射面４を形成する。照射面４は、ブラスト処理により金色から白濁色に変色させる。
【００１９】
微細な凹凸を有した照射面４を形成するには、化学的に表面を荒らす等の方法があるが、処理をするために必要とする工程や設備的な点、処理の仕方も容易であり、同一面上で微細な凹凸面を形成したくない部分はマスキングをすれば良く、所望の形状の照射面を容易に得ることが可能であり、ブラスト処理が好適である。
【００２０】
次に、株式会社キーエンス製の商品名：ＹＶＯ４レーザマーカの装置を用いて照射面４にレーザビームを照射し、金属プレート２を熱変形させて凹部５を形成し、二次元コードであるＱＲコード（登録商標）６を形成する。前記凹部５の凹み深さは、照射面４の凹み深さより深く形成しており、前記凹部５の部分の算術表面粗さ（Ｒａ）は１．０μｍとしてある。レーザ装置においては、レーザパワー、印字スピード、Ｑスイッチ周波数の設定により、照射された金属表面が、元の金属色〜灰色〜黒色に変色することが知られているが、二次元コード（ＱＲコード）の明暗模様がハッキリ表示できるように、凹部５が黒く変色するように、レーザビームの出力を設定した。
【００２１】
本実施例においては、照射面４の算術表面粗さ（Ｒａ）を０．５２μｍとしたが、算術表面粗さ（Ｒａ）を０．１μｍ未満とすると、前記したように照射面４においても光反射が強くなってしまい、携帯電話等の読取装置で読み取る際に、携帯電話等が照射面で反射して二次元コードで構成される明暗模様の読み取りが困難となるので、本発明においては、照射面４の算術表面粗さ（Ｒａ）を０．５μｍ以上とすることが重要である。
【００２２】
また、二次元コード６を構成する明暗模様の明部分と暗部分のコントラストをより高め読み取り易くするためには、凹部５が熱変色により黒く変色するように、レーザビームの出力を設定することが重要である。
【００２３】
尚、算術平均粗さ（Ｒａ）とは、数式１で示すように、株式会社ミツトヨの小型表面粗さ測定機（商品名：サーフテスト  ＳＪ−４００）や触針式表面粗さ測定器（ＴａｙｌｏｒＨｏｂｓｏｎ社製の機種名：Ｆｏｒｍ−Ｔａｌｙｓｕｒｆ−Ｓ１Ｆ−５０）により測定された粗さ曲線から、その平均線の方向に基準長さＬだけ抜き取り、この抜き取り部分の平均線から測定曲線までの偏差の絶対値を合計し、平均した値である。
【００２４】
【数１】
2007034958.tif 000003
【００２５】
本実施例における算術平均粗さ（Ｒａ）は、株式会社ミツトヨの小型表面粗さ測定機  （商品名：サーフテスト  ＳＪ−４００）を用いて測定した。
【００２６】
前述した工程により、本願発明の金属プレート２面上に鮮明な二次元コード６を形成した装飾品１を形成することができ、その結果、鏡面仕上げを施した表面３の光反射が強くても、微細な凹凸を形成した照射面４の明部分とレーザビームが照射された暗部分とで構成された模様のコントラストにより二次元コード６を容易に読み取ることができる。
【００２７】
尚、照射面４の範囲は、金属プレート２全体であってもよいし、金属の風味を活かすために、二次元コード６の付される範囲のみに微細な凹凸面を形成し、残りの部分は鏡面仕上げを施した金属表面が露出していてもよい。また、照射面４を文字や模様にすることで、外観上の見栄えがよくなるので好ましい。
【００２８】
本実施例では、金属プレートに二次元コードを形成したが、特にこれに限定されることはなく、二次元コードを形成する対象は金属プレート以外の形状のもの、例えば指輪等でもよい。また二次元コードの付された金属プレートは、それ自体装飾品として用いることができ、またネックレス、イヤリング、あるいはペンダントの本体等の装飾品に組み込むこともできる。
【産業上の利用可能性】
【００２９】
装飾品としての金属プレートに二次元コードを形成すれば、二次元コード自体に意匠的役割を持たせることができる。さらに氏名、住所、電話番号等の個人情報を二次元コードに変換しておけば、アドレス情報の受け渡しが迅速、容易になるという効果が得られる。また、パスポートナンバー、住民コード、保険証の番号、常用している薬の名称等の他人に知られたくない個人情報を、二次元コードに変換しておけば、容易に他人に知られることなく携帯でき、必要に応じて迅速に前記情報を引き出せるという効果もある。
【図面の簡単な説明】
【００３０】
【図１】本発明の実施例の二次元コードを有する装飾品の平面図である。
【図２】本実施例の二次元コードを有する装飾品の製造工程を示す図である。
【符号の説明】
【００３１】
１  装飾品
２  金属プレート
３  光沢面
４  照射面
５  凹部
６  二次元コード
【図１】
2007034958.tif 000004
【図２】
2007034958.tif 000005